(57)【要約】【課題】熱交換器の天板近傍部分における交換熱量を向上させることが可能な空気調和装置の室外機を提供する。【解決手段】室内機との間で循環する冷媒と屋外の空気との間で熱交換を行う空気調和装置の室外機６であって、送風機５と、熱交換器７と、天板１とを備えている。送風機５は、屋外の空気の流れを形成させる。熱交換器７は、内部に冷媒が流れている。天板１は、空気の流れを熱交換器７に導く。そして、天板１は、熱交換器７の表面のうち送風機５側を向いた吹出面７２ｆおよび送風機５と反対側を向いた吸込面７１ｆ以外の表面のうち上面７３ｆに対して空気の流れの少なくとも一部を導くための天上開口部１０を有している。【選択図】図７
2007101161.tif 000002
【特許請求の範囲】
【請求項１】
室内機との間で循環する冷媒と屋外の空気との間で熱交換を行う空気調和装置の室外機（６）であって、
前記屋外の空気の流れを形成させる送風機（５）と、
内部に前記冷媒が流れている熱交換器（７）と、
前記空気の流れを前記熱交換器（７）に導く導風板（４、１、１１、１６、１７）と、
を備え、
前記導風板（４、１、１１、１６、１７）は、前記熱交換器（７）の表面のうち前記送風機（５）側を向いた送風機側表面および前記送風機（５）と反対側を向いた反送風機側表面以外の表面に対して前記空気の流れの少なくとも一部を導くための開口部（１０、６０）を有している、
空気調和装置の室外機（６）。
【請求項２】
前記導風板（１）は、前記熱交換器（７）に隣接して配置され、前記室外機（６）のケーシングの上面の少なくとも一部を構成する上面導風部（１）を有し、
前記開口部（１０）は、平面視において前記上面導風部（１）と前記熱交換器（７）とが重なる部分のうち少なくとも一部に設けられている、
請求項１に記載の空気調和装置の室外機（６）。
【請求項３】
前記開口部（１０）は、上下方向に連通している、
請求項２に記載の空気調和装置の室外機（６）。
【請求項４】
前記導風板（１、１１）は、前記熱交換器（７）に隣接して配置され、前記室外機（６）のケーシングのうち前記送風機（５）が形成する主な空気流れに対して略垂直であって吸込側に位置する面の少なくとも一部を構成する吸込導風部（１１）をさらに有しており、
前記吸込導風部（１１）は、前記熱交換器（７）のうち前記ケーシングの上面に隣接している部分に対して前記空気の流れの少なくとも一部を導くための上方吸込側開口部（１２）を有している、
請求項２または３に記載の空気調和装置の室外機（６）。
【請求項５】
前記導風板（１６）は、前記熱交換器（７）に隣接して配置され、前記室外機（６）のケーシングの下面の少なくとも一部を構成する下面導風部（１６）を有し、
前記開口部（６０）は、平面視において前記下面導風部（１６）と前記熱交換器（７）とが重なる部分のうち少なくとも一部に設けられている、
請求項１に記載の空気調和装置の室外機（６）。
【請求項６】
前記開口部（６０）は、上下方向に連通している、
請求項５に記載の空気調和装置の室外機（６）。
【請求項７】
前記導風板（１６、１７）は、前記熱交換器（７）に隣接して配置され、前記室外機（６）のケーシングのうち前記送風機（５）が形成する主な空気流れに対して略垂直であって吸込側に位置する面の少なくとも一部を構成する吸込導風部（１７）をさらに有しており、
前記吸込導風部（１７）は、前記熱交換器（７）のうち前記ケーシングの下面に隣接している部分に対して前記空気の流れの少なくとも一部を導くための下方吸込側開口部（６９）を有している、
請求項５または６に記載の空気調和装置の室外機（６）。
【発明の詳細な説明】
【技術分野】
【０００１】
本発明は、空気調和装置の室外機、特に、室内機との間で循環する冷媒と屋外の空気との間で熱交換を行う空気調和装置の室外機に関する。
【背景技術】
【０００２】
従来より、空気調和装置の室外機として、ケーシングの上面の板の端部が背面吸込口側に折曲げられ、背面吸込口の外枠を構成しているような形状のものがある（例えば、実公平１−３６０２８号公報参照）。このような室外機では、その内部に配置された熱交換器の上縁近傍部分が上記ケーシングの折曲げられた部分により覆われてしまうため、熱交換器の上縁近傍部分において充分な熱交換を行うことが難しい。
【０００３】
これに対して、以下に示す特許文献１では、室外機のケーシングを構成する天板において、内部に配置された熱交換器よりも吸込側に位置する部分に開口部を設けたものが提案されている。これにより、当該開口部からケーシング内部に取り込まれる屋外の空気によって、熱交換器の上縁近傍部分を通過する空気の量が増えるため、熱交換量を増大させることができている。
【特許文献１】特開平５−３０６８２３号公報
【発明の開示】
【発明が解決しようとする課題】
【０００４】
しかし、上記特許文献１に記載の空気調和装置の室外機では、熱交換器による熱交換量の確保が不充分な場合がある。すなわち、熱交換器よりも吸込側に設けられた開口部から流入させた空気を熱交換器の上縁近傍部分を通過させるためには、開口部から取り込まれた空気は、流れの向きが大きく湾曲しなければならない。ところが、開口部から取り込まれた空気は、下向きの勢いが強いために、開口部を通過した直後に湾曲させることは難しい。特に、熱交換器の送風機側における上端部分では、空気流れが弱いものとなりがちであり、熱交換を充分に行うことが困難な場合がある。
【０００５】
本発明は上述した点に鑑みてなされたものであり、本発明の課題は、熱交換器の天板近傍部分における交換熱量を向上させることが可能な空気調和装置の室外機を提供することにある。
【課題を解決するための手段】
【０００６】
第１発明に係る空気調和装置の室外機は、室内機との間で循環する冷媒と屋外の空気との間で熱交換を行う空気調和装置の室外機であって、送風機と、熱交換器と、導風板とを備えている。送風機は、屋外の空気の流れを形成させる。熱交換器は、内部に冷媒が流れている。導風板は、空気の流れを熱交換器に導く。そして、導風板は、熱交換器の表面のうち送風機側を向いた送風機側表面および送風機と反対側を向いた反送風機側表面以外の表面に対して空気の流れの少なくとも一部を導くための開口部を有している。なお、ここでの熱交換器の表面には、熱交換器の端部や縁部が含まれていてもよい。
【０００７】
従来の空気調和装置の室外機では、熱交換器のうちケーシングに隣接している部分では、空気の流れが弱く、熱交換量を充分に確保できていない。
これに対して第１発明の空気調和装置の室外機では、送風機が稼働した場合に、導風板の開口部によって、熱交換器の表面のうち送風機側表面および反送風機側表面以外の表面に対して、空気の流れが導かれる。よって、送風機側表面および反送風機側表面以外の熱交換器の表面近傍部分における空気流れの量を増大させることができる。
これにより、熱交換器のうち導風板に隣接した部分についても効率的に利用することで熱交換量を増大させることが可能になる。
【０００８】
第２発明に係る空気調和装置の室外機は、第１発明の空気調和装置の室外機であって、導風板は、熱交換器に隣接して配置され、室外機のケーシングの上面の少なくとも一部を構成する上面導風部を有している。そして、開口部は、平面視において上面導風部と熱交換器とが重なる部分のうち少なくとも一部に設けられている。なお、ここでの隣接の程度としては、例えば、ケーシングと熱交換器との最近接距離を、５ｍｍ未満としたり、２ｍｍ未満としたり、１．８ｍｍとすることが考えられる。また、この近接距離の値は、騒音を生じにくい範囲とすることも考えられる。
【０００９】
ここでは、開口部は、平面視において上面導風部と熱交換器とが重なる部分に設けられている。よって、熱交換器の、室外機のケーシングの上方における屋外の空気を取り込むことが容易になる。
これにより、熱交換量を効果的に増大させることが可能になる。
【００１０】
第３発明に係る空気調和装置の室外機は、第２発明の空気調和装置の室外機であって、開口部は、上下方向に連通している。
ここでは、開口部は、空気流れを湾曲させるための板等が設けられることなく、単に上下方向に連通して設けられている。よって、送風機が稼働した場合に、室外機の上方に存在する屋外の空気は、熱交換器の表面のうち送風機側表面および反送風機側表面以外の表面に対して、特に抵抗を受けることなく流入することができる。
これにより、熱交換器のうち導風板に隣接した部分についての空気流れを増大させて、熱交換量をよりいっそう向上させることが可能になる。
【００１１】
第４発明に係る空気調和装置の室外機は、第２発明または第３発明の空気調和装置の室外機であって、導風板は、熱交換器に隣接して配置され、室外機のケーシングのうち送風機が形成する主な空気流れに対して略垂直であって吸込側に位置する面の少なくとも一部を構成する吸込導風部をさらに有している。吸込導風部は、熱交換器のうちケーシングの上面に隣接している部分に対して空気の流れの少なくとも一部を導くための上方吸込側開口部を有している。
【００１２】
室外機において、天板上方からに大きく湾曲しながら天板の開口を介して流入する空気と、水平方向から背面板の吸込口を介して流入する空気と、が熱交換器を通過する前に衝突してしまう構成が採用されていると、空気の流れに乱れを生じることがある。このような乱れは、熱交換器を通過させる空気に対して通風抵抗となってしまう。
これに対して第４発明の室外機では、送風機が稼働することで、上面導風部に設けられた開口部を介して流入する空気流れと、吸込導風部の上方吸込側開口部を介して流入する空気流れと、の２つの空気流れが形成される。そして、このような２つの空気流れの合流を、熱交換器を通過させる前ではなく、熱交換器を通過する際もしくは通過した後にさせることができる。このため、熱交換器の上側からの空気流れだけでなく、熱交換器の吸込側からの空気流れによって、熱交換器の表面のうち送風機側表面および反送風機側表面以外の表面近傍における空気流れをより確実に確保することができる。
これにより、より確実に熱交換量を確保することが可能になる。
【００１３】
第５発明に係る空気調和装置の室外機は、第１発明の空気調和装置の室外機であって、導風板は、熱交換器に隣接して配置され、室外機のケーシングの下面の少なくとも一部を構成する下面導風部を有している。そして、開口部は、平面視において下面導風部と熱交換器とが重なる部分のうち少なくとも一部に設けられている。なお、ここでの隣接の程度としては、例えば、ケーシングと熱交換器との最近接距離を、５ｍｍ未満としたり、２ｍｍ未満としたり、１．８ｍｍとすることが考えられる。また、この近接距離の値は、騒音を生じにくい範囲とすることも考えられる。
【００１４】
ここでは、開口部は、平面視において下面導風部と熱交換器とが重なる部分に設けられている。よって、熱交換器の、室外機のケーシングの下方における屋外の空気を取り込むことが容易になる。
これにより、熱交換量を効果的に増大させることが可能になる。
また、例えば、熱交換によって下面導風部に水が落下してくる場合には、開口部を介して室外機の外部に排水を促すことも可能になる。
【００１５】
なお、空気中の水分が蒸発器の表面に凝縮して氷結し、熱交換を阻害することがあるため、デフロストによって氷を除去させて下面導風部の上に水を落とすことがある。このため、外気温が低い場合に、下面導風部の上に落ちた水が氷となって体積膨張することにより熱交換器の伝熱管やフィンを圧迫してしまうおそれがある。
これに対して、ここでは、下面導風部の開口部を介して室外機の外部に排水を促す。これにより、このような熱交換器の伝熱管やフィンを圧迫を避けることが可能になる。
【００１６】
第６発明に係る空気調和装置の室外機は、第５発明の空気調和装置の室外機であって、開口部は、上下方向に連通している。
ここでは、開口部は、空気流れを湾曲させるための板等が設けられることなく、単に上下方向に連通して設けられている。よって、送風機が稼働した場合に、室外機の下方に存在する屋外の空気は、熱交換器の表面のうち送風機側表面および反送風機側表面以外の表面に対して、特に抵抗を受けることなく流入することができる。
これにより、熱交換器のうち導風板に隣接した部分についての空気流れを増大させて、熱交換量をよりいっそう向上させることが可能になる。
【００１７】
第７発明に係る空気調和装置の室外機は、第５発明または第６発明のいずれかの空気調和装置の室外機であって、導風板は、熱交換器に隣接して配置され、室外機のケーシングのうち送風機が形成する主な空気流れに対して略垂直であって吸込側に位置する面の少なくとも一部を構成する吸込導風部をさらに有している。そして、吸込導風部は、熱交換器のうちケーシングの下面に隣接している部分に対して空気の流れの少なくとも一部を導くための下方吸込側開口部を有している。
【００１８】
室外機において、天板下方からに大きく湾曲しながら天板の開口を介して流入する空気と、水平方向から背面板の吸込口を介して流入する空気と、が熱交換器を通過する前に衝突してしまう構成が採用されていると、空気の流れに乱れを生じることがある。このような乱れは、熱交換器を通過させる空気に対して通風抵抗となってしまう。
これに対して第７発明の室外機では、送風機が稼働することで、下面導風部に設けられた開口部を介して流入する空気流れと、吸込導風部の下方吸込側開口部を介して流入する空気流れと、の２つの空気流れが形成される。そして、このような２つの空気流れの合流を、熱交換器を通過させる前ではなく、熱交換器を通過する際もしくは通過した後にさせることができる。このため、熱交換器の上側からの空気流れだけでなく、熱交換器の吸込側からの空気流れによって、熱交換器の表面のうち送風機側表面および反送風機側表面以外の表面近傍における空気流れをより確実に確保することができる。
【００１９】
これにより、より確実に熱交換量を確保することが可能になる。
【発明の効果】
【００２０】
第１発明に係る空気調和装置の室外機では、熱交換器のうち導風板に隣接した部分についても効率的に利用することで熱交換量を増大させることが可能になる。
第２発明に係る空気調和装置の室外機では、熱交換量を効果的に増大させることが可能になる。
第３発明に係る空気調和装置の室外機では、熱交換器のうち導風板に隣接した部分についての空気流れを増大させて、熱交換量をよりいっそう向上させることが可能になる。
【００２１】
第４発明に係る空気調和装置の室外機では、より確実に熱交換量を確保することが可能になる。
第５発明に係る空気調和装置の室外機では、熱交換量を効果的に増大させることが可能になる。また、例えば、熱交換によって下面導風部に水が落下してくる場合には、開口部を介して室外機の外部に排水を促すことも可能になる。
【００２２】
第６発明に係る空気調和装置の室外機では、熱交換器のうち導風板に隣接した部分についての空気流れを増大させて、熱交換量をよりいっそう向上させることが可能になる。
第７発明に係る空気調和装置の室外機では、より確実に熱交換量を確保することが可能になる。
【発明を実施するための最良の形態】
【００２３】
＜発明の概略＞
本発明は、室内機との間で循環する冷媒と屋外の空気との間で熱交換を行う空気調和装置の室外機を提供する。本発明の空気調和装置の室外機では、熱交換器の表面のうち送風機側表面および反送風機側表面以外の表面（例えば、熱交換器の上面や底面）であってケーシングに近接している部分における空気流れを従来よりも増大させる構造を採用している。本発明では、これにより、室外機の熱交換器における熱交換量を増大させる点に特徴がある。
【００２４】
以下、本発明が採用された空気調和装置の室外機の実施形態について、室外機の天板に開口部を設けた第１実施形態、室外機の底板に開口部を設けた第２実施形態および室外機の吸込側にさらに開口部を設けた第３実施形態に分けてそれぞれ説明する。
＜第１実施形態＞
＜空気調和装置の室外機の概略構成＞
本発明の第１実施形態が採用された空気調和装置の室外機６について、背面側の斜視図ある図１、前面側の斜視図である図２、側面視断面図である図３を参照しつつ説明する。
【００２５】
また、さらに、図４は、室外機６の要部を背面側から見た斜視図、図５は、室外機６の平面図、図６は、左側面図、図７は、要部の側面視断面図をそれぞれ示している。
空気調和装置の室外機６は、屋外に設置されており、室内に設置される室内機と冷媒配管を介して接続されている。この室外機６は、図２に示すように、主として、ケーシング４、熱交換器７および送風機５等を有している。そして、ケーシング４の内部は、前後に延びる仕切板（図示せず）によって機械室と送風機室とに二分されている。このうち、機械室には、主として、電装部品や、圧縮機、制御弁等（図示せず）が配置されている。また、送風機室には、熱交換器７や、送風機５などが配置されている。ここでは、本発明のポイントとなる送風機室の構成について、説明する。
【００２６】
送風機室は、図２に示すように、熱交換器７と、この熱交換器７に対して吹出口側（前面側）に配置された送風機５と、内部に設けられ、これらをケーシング４が覆うことで構成されている。室外機６では、図２および図３に示すように、この送風機５が稼働してプロペラファン１３が回転することにより、送風機室内に屋外の空気が流入する。これにより、屋外の空気が熱交換器７を通過し、熱交換器７の伝熱管内を流れる冷媒と屋外の空気との間で熱交換が行われる。
【００２７】
（熱交換器）
熱交換器７は、図２に示すように、平面視略Ｌ字形状であって、クロスフィン型と称されるものであり、伝熱管内に冷媒を流通させることで管外側の空気と熱交換を行わせる。この熱交換器７は、略平行に配置されるヘアピン形状の複数の伝熱管と、この複数の伝熱管を板厚方向に貫通させるための複数の孔が設けられるプレートフィン等とから構成されている。このプレートフィンは、板厚方向に所定の間隔を空けて複数配置されている。
【００２８】
この熱交換器７は、図２に示すように、吸込側部７１、吹出側部７２、上縁部７３、下縁部７４、右縁部７５および左縁部７６を有している。
そして、表面上のフィンの凹凸等の細部を無視し、熱交換器７を全体の概略形状として見た場合に、熱交換器７の表面は、以下に述べるように、おおよそ１４つの面に分類される。
【００２９】
まず、熱交換器７の吸込側部７１、吹出側部７２、上縁部７３、下縁部７４、右縁部７５および左縁部７６は、図２に示すように、それぞれ吸込面７１ｆ、吹出面７２ｆ、上面７３ｆ、底面７４ｆ、右側端面７５ｆおよび左側端面７６ｆの６つの面に対応するように大別される。
また、吸込面７１ｆ、吹出面７２ｆ、上面７３ｆおよび底面７４ｆの４面については、さらに、それぞれ３つの面を有している。
【００３０】
吸込面７１ｆは、中央吸込面７１ａ、湾曲吸込面７１ｂおよび左吸込面７１ｃを有している（図２参照）。
吹出面７２ｆは、中央吹出面７２ａ、湾曲吹出面７２ｂおよび左吹出面７２ｃを有している（図２参照）。
上面７３ｆは、中央上面７３ａ、湾曲上面７３ｂおよび左上面７３ｃを有している（図２参照）。
【００３１】
底面７４ｆは、中央底面７４ａ、湾曲底面７４ｂおよび左底面７４ｃを有している（図２参照）。
このように、熱交換器７の１４つの面は、中央吸込面７１ａ、湾曲吸込面７１ｂ、左吸込面７１ｃ、中央吹出面７２ａ、湾曲吹出面７２ｂ、左吹出面７２ｃ、中央上面７３ａ、湾曲上面７３ｂ、左上面７３ｃ、中央底面７４ａ、湾曲底面７４ｂ、左底面７４ｃ、右側端面７５ｆおよび左側端面７６ｆによって構成されている。
【００３２】
（ケーシング）
ケーシング４は、図１、図２および図３等に示すように、天板１、底板１６、吹出グリル１４、吸込グリル１５、右側面板３１および左側面グリル３２によって構成され、室外機６の外形を構成している。
天板１は、天板１の近傍の斜視図である図４および上面図である図５に示すように、室外機６のケーシング４のうち、主として、上面を構成している。また、この天板１は、端部が下方に折曲げられてケーシング４の側面の一部を構成している天板折曲げ部１１を有している。この天板１は、熱交換器７の上面７３ｆと近接して配置されており、平面視において天板１と熱交換器７の上面７３ｆとが重なる部分が上下方向に貫通している複数の天上開口部１０を有している。天上開口部１０は、図４および図５に示すように、熱交換器７の上面７３ｆの幅方向の対応位置に２つの開口がペアとなって形成されており、このペアが熱交換器７の延びる方向に沿うようにして複数設けられている。ここで、天板１と熱交換器７の上面７３ｆとの最近接距離は、１．８ｍｍとして設計され、空気流れが形成された際に騒音が生じにくい配置を採用している。なお、ここでの距離は、特に、１．８ｍｍに限られず、例えば、５ｍｍ未満、２ｍｍ未満等、室外機６の形態や容量に応じて騒音が生じにくい値を選択して設計するようにしてもよい。
【００３３】
底板１６は、室外機６のケーシング４のうち、主として、底面を構成している。また、この底板１６は、端部が上方に折曲げられてケーシング４の側面の一部を構成している底板折曲げ部１７を有している。
吹出グリル１４は、室外機６のケーシング４のうち、主として、正面を構成しており、送風機５により生じる空気流れを吹き出すための吹出口３が設けられている。吸込グリル１５は、熱交換器７に近接して配置されて室外機６のケーシング４の背面を覆っており、仕切板（図示せず）よりも左方の区画において、送風機５によって屋外の空気を吸い込むための複数の背面吸込口２が設けられている。
【００３４】
右側面板３１は、機械室の右側面を覆うと共に、室外機６のケーシング４のうち、主として、右側面を覆っている。
左側面グリル３２は、図６に示すように、室外機６のケーシング４のうち、主として、左側面を構成している。この左側面グリル３２には、送風機５による空気の吹出側を前方として、主として左から右方向に向かう空気流れを形成させるために、同方向に貫通している左側面吸込口９が縦方向に２列に並んで複数設けられている。
【００３５】
（送風機）
送風機５は、図３および図２に示すように、送風機室内において熱交換器７よりも吹出側に配置されている。そして、送風機５は、モータ２１および２本のモータ取付具２２を有している。この２本のモータ取付具２２は、モータ２１を支持するために、天板１の天板折曲げ部１１と底板１６の底板折曲げ部１７とを橋架し、これらの天板折曲げ部１１、１７の内面に固着されている。
【００３６】
モータ取付具２２は、図３に示すように、コの字状断面を有して、一方の外平面の上端２３が延長されることで天板折曲げ部１１に固着され、外平面の下端２４が延長されることで底板折曲げ部１７に固着されている。また、他方の外平面２５は熱交換器７より吹出口３側に位置し、送風機５のモータ２１が固定されているモータ台２６とボルトを介して固着されている。
【００３７】
（空気流れ）
上記構成において、送風機５が稼働すると、吸込グリル１５の背面吸込口２、左側面グリル３２の左側面吸込口９および天板１の天上開口部１０のそれぞれから送風機室内に屋外の空気が流入して熱交換器７を通過する。
ここで、吸込グリル１５の背面吸込口２を介して送風機室内に流入した空気は、熱交換器７の吸込面７１ｆの中央部分および吹出面７２ｆの中央部分を通過する。これにより、熱交換器７の吸込側部７１、吹出側部７２（中央吸込面７１ａ、湾曲吸込面７１ｂの右側、中央吹出面７２ａおよび湾曲吹出面７２ｂの右側等を含む）を有効に利用した熱交換を行うことができる。
【００３８】
また、左側面グリル３２の左側面吸込口９を介して送風機室内に流入した空気は、熱交換器７の吸込面７１ｆの左側面部分および吹出面７２ｆの左側面部分を通過する。これにより、熱交換器７の吸込側部７１、吹出側部７２（左吸込面７１ｃ、湾曲吸込面７１ｂの左側、左吹出面７２ｃおよび湾曲吹出面７２ｂの左側等を含む）を有効に利用した熱交換を行うことができる。
【００３９】
さらに、熱交換器７の上面７３ｆ近傍の側面視断面図である図７に示すように、天板１の天上開口部１０を介して送風機室内に流入する空気流れＦ１（図中二点鎖線で示す）は、熱交換器７の上面７３ｆを通過する。これにより、熱交換器７の上縁部７３を有効に利用した熱交換を行うことができる。
このようにして、送風機５によって形成される空気流れは、熱交換器７の全体に対して供給されため、熱交換器７をムラ無く効率的に利用している。
【００４０】
＜第１実施形態の空気調和装置の室外機の特徴＞
（１）
従来の空気調和装置の室外機５０６の形態では、図１７に示すように、開口部５１０から流入する空気流れＦ５は流入方向から大きく湾曲される必要があるため、熱交換器５０７のうちケーシング５０４の天板５０１に隣接している部分（図中で示すＡ１）における空気流れＦ５は弱くなりがちである。このため、従来の構成では、熱交換器５０７の上縁部を有効に利用することができていないため、熱交換量を充分に確保できない場合がある。
【００４１】
これに対して、第１実施形態における空気調和装置の室外機６では、図７に示すように、熱交換器７の上縁部７３に対して空気流れＦを直接導いている。このため、送風機５が稼働した場合に、天板１の天上開口部１０によって、熱交換器７の上縁部７３に対して、充分な量の空気流れＦが形成される。
これにより、熱交換器７の上縁部７３近傍部分における空気流れＦの量を増大させて、熱交換器７を効率的に利用することで熱交換量を増大させることができる。
また、同一量の空気流れを確保するために必要な送風機５の回転数を下げることができ、結果として送風音の低減化を図ることもできる。
【００４２】
（２）
第１実施形態における空気調和装置の室外機６では、天上開口部１０は、平面視において天板１と熱交換器７とが重なる部分に設けられている。このため、案内板等が不要な構成となり、通風抵抗が低減されている。これにより、室外機６のケーシング４の上方における屋外の空気は、熱交換器７の上面７３ｆを直接通過することが容易になる。このため、効果的に熱交換量を増大させることができる。
なお、ここでの天板１と熱交換器７の上面７３ｆとの間の最近接距離として、騒音が生じにくい距離を採用している。これにより、熱交換量を増大化と、騒音の増大防止とを両立させることができている。
【００４３】
（３）
従来の室外機５０６では、図１７に示すように、熱交換器５０７の上縁部に空気を送るために天板５０１に形成される開口部５１０は、熱交換器５０７の真上ではなく、熱交換器５０７よりも背面側に片寄った位置に形成されている。このような構成では、開口部５１０の前後方向の幅を確保する必要があるため、熱交換器５０７は、送風機室内において、背面吸込口に近接されて配置することは困難であり、いくぶん吹出口側に配置される。このため、熱交換器５０７の背面側に開口部５１０を形成するための厚みが室外機５０６の前後方向の厚みとして必要になってしまい、室外機５０６を薄型化させることが困難である。
【００４４】
これに対して、第１実施形態における空気調和装置の室外機６では、天板１の天上開口部１０は、熱交換器７の上縁部７３の真上に設けられているため、従来のような厚みを設ける必要がなく、従来よりも熱交換器７を背面側に近接させて配置することができる。これにより、室外機６の前後方向について薄型化させることができる。
【００４５】
＜第１実施形態の変形例＞
以上、本発明の一実施形態について説明したが、本発明は上記実施形態に限定されるものではなく、発明の要旨を逸脱しない範囲で種々の変更が可能である。
（Ａ）
第１実施形態における空気調和装置の室外機６では、熱交換器７の上面７３ｆの真上に複数の天上開口部１０が形成された天板１について例に挙げて説明した。
しかし、本発明はこれに限られるものではなく、天上開口部１０は、複数の開口として構成されている必要はなく、熱交換器７の湾曲形状に沿うようにして上面７３ｆの真上が全て上下方向に貫通した開口を設けるようにしてもよい。
【００４６】
＜第２実施形態＞
第２実施形態の空気調和装置の室外機２０６は、第１実施形態の空気調和装置の室外機６との共通点が多いため、ここでは、第１実施形態の室外機６との相違点を中心に説明する。
（ケーシング）
第２実施形態の室外機２０６は、底板１６近傍の背面側斜視図を示す図８、および、底板１６の平面図を示す図９に示すように、底板１６において底下開口部６０が形成されている。すなわち、室外機２０６では、天板１に天上開口部１０を設けるだけでなく、底板１６においても、上方平面視において熱交換器７の底面７４ｆに対応する部分が上下方向に貫通した底下開口部６０が形成されている。ここでの底板１６の底下開口部６０は、熱交換器７の中央底面７４ａ、湾曲底面７４ｂおよび左底面７４ｃに沿うように、複数配置されている。
【００４７】
ここで、底板１６と熱交換器７の下面７４ｆとの最近接距離は、１．８ｍｍとして設計され、騒音が生じにくい配置を採用している。なお、ここでの距離は、特に、１．８ｍｍに限られず、例えば、５ｍｍ未満、２ｍｍ未満等、室外機６の形態や容量に応じて騒音が生じにくい値を選択して設計するようにしてもよい。
（空気流れ）
上記構成において、送風機５が稼働すると、吸込グリル１５の背面吸込口２、左側面グリル３２の左側面吸込口９、天板１の天上開口部１０および底板１６の底下開口部６０のそれぞれから送風機室内に屋外の空気が流入して熱交換器７を通過する。
【００４８】
ここで、第２実施形態の空気調和装置の室外機２０６では、底板１６の底下開口部６０を介して送風機室に流入する空気流れが、熱交換器７の底面７４ｆを通過する。これにより、熱交換器７の下縁部７４を有効に利用した熱交換を行うことができる。
このようにして、送風機５によって形成される空気流れは、熱交換器７の全体に対して供給されため、熱交換器７をムラ無く効率的に利用している。
なお、他の部分の構成は、上述した第１実施形態の室外機６と同様である。
【００４９】
＜第２実施形態の空気調和装置の室外機の特徴＞
（１）
第２実施形態における空気調和装置の室外機２０６では、底下開口部６０は、平面視において底板１６と熱交換器７の底面７４ｆとが重なる部分に設けられている。
【００５０】
上述したように、従来の空気調和装置の室外機５０６では、図１７に示すように、開口部５１０から流入する空気流れＦ５は流入方向から大きく湾曲される必要があるため、熱交換器５０７のうちケーシング５０４の天板５０１に隣接している部分（図中で示すＡ１）における空気流れＦ５は弱くなりがちである。このことは、底板についても同様であり、熱交換器５０７の下縁部における空気流れが形成されにくい。このため、従来の構成では、熱交換器５０７の下縁部を有効に利用することができていないため、熱交換量を充分に確保できない場合がある。
【００５１】
これに対して、第２実施形態における空気調和装置の室外機２０６では、熱交換器７の下縁部７４に対して空気流れを直接導くことができる。このため、送風機５が稼働した場合に、底板１６の底下開口部６０によって、熱交換器７の下縁部７４に対して、充分な量の空気流れが形成される。
これにより、熱交換器７の下縁部７４近傍部分における空気流れの量を増大させて、熱交換器７を効率的に利用することで熱交換量を増大させることができる。
【００５２】
また、同一量の空気流れを確保するために必要な送風機５の回転数を下げることができ、結果として送風音の低減化を図ることもできる。
さらに、室外機６の底板１６の下方における屋外の空気を取り込むことが容易になり、熱交換器７の下縁部７４における熱交換量を効果的に増大させることができる。
（２）
また、第２実施形態における空気調和装置の室外機２０６では、熱交換によって送風機室内に水が生じたり、雨水が流れ込んだりしても、底下開口部６０を介して室外機６の外部に容易に排水することができる。
【００５３】
なお、空気中の水分が蒸発器の表面に凝縮して氷結し、熱交換を阻害することがあるため、デフロストによって氷を除去させて底板１６の上に水を落とすことがある。このため、外気温が低い場合に、底板１６の上に落ちた水が氷となって体積膨張することにより熱交換器７の伝熱管やフィンを圧迫してしまうおそれがある。
これに対して、第２実施形態の空気調和装置の室外機２０６は、底下開口部６０を介して室外機２０６の外部に排水を促す。これにより、このような熱交換器７の伝熱管やフィンを圧迫を避けることができる。
【００５４】
＜第２実施形態の変形例＞
以上、本発明の一実施形態について説明したが、本発明は上記実施形態に限定されるものではなく、発明の要旨を逸脱しない範囲で種々の変更が可能である。
（Ａ）
第２実施形態における空気調和装置の室外機２０６では、熱交換器７の下面７４ｆの真下に複数の底下開口部６０が形成された底板１６について例に挙げて説明した。
【００５５】
しかし、本発明はこれに限られるものではなく、底下開口部６０は、複数の開口として構成されている必要はなく、熱交換器７の湾曲形状に沿うようにして下面７４ｆの真下が全て上下方向に貫通した開口を設けるようにしてもよい。
（Ｂ）
第２実施形態における空気調和装置の室外機２０６では、熱交換器７の上面７３ｆに空気流れを通過させるために天上開口部１０が形成された天板１と、熱交換器７の下面７４ｆに空気流れを通過させるために底下開口部６０が形成された底板１６と、の両者が採用された室外機２０６について例に挙げて説明した。
【００５６】
しかし、本発明はこれに限られるものではなく、熱交換器７の上面７３ｆおよび下面７４ｆだけでなく、さらに、右側端面７５ｆに対して空気流れを通過させることができるように吸込グリル１５の右側開口部や、左側端面７６ｆに対して空気流れを通過させることができるような吹出グリル１４の左側開口部等を設けたケーシング４を採用してもよい。この場合、吹出グリル１４の左側開口部については、ショートサーキットを防止するための仕切等を設けてもよい。
【００５７】
＜第３実施形態＞
第３実施形態の空気調和装置の室外機３０６は、第２実施形態の空気調和装置の室外機２０６との共通点が多いため、ここでは、第２実施形態の室外機２０６との相違点を中心に説明する。
（ケーシング）
第３実施形態の室外機３０６では、天上開口部１０および底下開口部６０を設けるだけでなく、さらに、天板１の天板折曲げ部１１において熱交換器７の上縁部７３に空気流れを送るための天横開口部１２と、底板１６の底板折曲げ部１７において熱交換器７の下縁部７４に空気流れを送るための底横開口部６９と、を設けたことを特徴としている。
【００５８】
ここで、室外機３０６の背面側斜視図を図１０に、天板近傍の背面側斜視図を図１１に、底板近傍の背面側斜視図を図１２にそれぞれ示す。
また、図１３は、天板の投影図であり、図１４は、底板の投影図であり、図１５は、左側面図である。
第３実施形態の室外機３０６の上方においては、図１０、図１１、図１３および図１５に示すように、天板１において上下方向に貫通させた天上開口部１０を設けている。そして、ここでは、さらに、端部が下方に折曲げられてケーシング４の側面の一部を構成している天板１の天板折曲げ部１１において、吹出方向に貫通した複数の天横開口部１２が形成されている。
【００５９】
また、室外機３０６の下方においては、図１０、図１２、図１４および図１５に示すように、底板１６において上下方向に貫通させた底下開口部６０を設けている。そして、ここでは、さらに、端部が上方に折曲げられてケーシング４の側面の一部を構成している底板１６の底板折曲げ部１７において、吹出方向に貫通した複数の底横開口部６９が形成されている。
【００６０】
（空気流れ）
上記構成において、送風機５が稼働すると、吸込グリル１５の背面吸込口２、左側面グリル３２の左側面吸込口９、天板１の天上開口部１０、天横開口部１２、底板１６の底下開口部６０および底横開口部６９のそれぞれから送風機室内に屋外の空気が流入して熱交換器７を通過する。
【００６１】
ここで、第３実施形態の空気調和装置の室外機３０６では、熱交換器７の上面７３ｆ近傍の側面視断面図である図１６に示すように、天板１の天上開口部１０を介して送風機室内に流入する空気流れＦ１（図中二点鎖線で示す）は、熱交換器７の上面７３ｆを通過する。これにより、熱交換器７の上縁部７３を有効に利用した熱交換を行うことができる。
さらに、図１６に示すように、天板１の天横開口部１２を介して送風機室内に流入する空気流れＦ２（図中二点鎖線で示す）は、天上開口部１０を介して送風機室内に流入する空気流れＦ１と衝突する前に、熱交換器７の吸込面７１ｆの上方を通過する。このため、天板１の天上開口部１０を介して流入する空気流れＦ１と、天板１の天横開口部１２を介して流入する空気流れＦ２と、の２つの空気流れによって、熱交換器７の上縁部７３を有効に利用した熱交換を行うことができる。
【００６２】
また、ここで、底板１６の底下開口部６０を介して送風機室に流入する空気流れは、熱交換器７の底面７４ｆを通過する。これにより、熱交換器７の下縁部７４を有効に利用した熱交換を行うことができる。
さらに、底板１６の底横開口部６９を介して送風機室内に流入する空気流れは、底下開口部６０を介して送風機室内に流入する空気流れと衝突する前に、熱交換器７の吸込面７１ｆの下方を通過する。このため、底下開口部６０を介して送風機室内に流入する空気流れと、底横開口部６９を介して送風機室内に流入する空気流れと、の２つの空気流れによって、熱交換器７の下縁部７４を有効に利用した熱交換を行うことができる。
このようにして、送風機５によって形成される空気流れは、熱交換器７の全体に対して供給されため、熱交換器７をムラ無く効率的に利用している。
【００６３】
＜第３実施形態の空気調和装置の室外機の特徴＞
（１）
室外機の構成において、天板上方から背面吸込口に大きく湾曲しながら流入する空気と、水平方向から該背面吸込口に流入する空気と、が熱交換器を通過する前に衝突してしまう構成を採用すると、空気の流れに乱れが生じる場合がある。このような乱れは、熱交換器を通過させる空気に対する通風抵抗となってしまうことがある。
【００６４】
これに対して、第３実施形態における空気調和装置の室外機３０６では、図１６に示すように、天板１の天上開口部１０介して送風機室内に流入する空気流れＦ１と、水平方向から天横開口部１２を介して送風機室内に流入する空気流れＦ２と、は熱交換器７を通過する前に衝突することなく、それぞれそのまま熱交換器７を通過する。これにより、天板１の天上開口部１０介して送風機室内に流入する空気流れＦ１だけでなく、水平方向から天横開口部１２を介して送風機室内に流入する空気流れＦ２についても、それぞれバランスしながら熱交換器７の上縁部７３を通過し、熱交換器７のうち天板１に隣接している部分に対しても充分に空気を通過させることができる。これにより、熱交換量をよりいっそう向上させることができる。
【００６５】
また、底板１６についても同様であり、底板１６の底下開口部６０を介して送風機室内に流入する空気流れと、水平方向から底横開口部６９を介して送風機室内に流入する空気流れと、は熱交換器７を通過する前に衝突することなく、それぞれそのまま熱交換器７を通過する。これにより、底板１６の底下開口部６０を介して送風機室内に流入する空気流れだけでなく、水平方向から底横開口部６９を介して送風機室内に流入する空気流れについても、それぞれバランスしながら熱交換器７の下縁部７４を通過し、熱交換器７のうち底板１６に隣接している部分に対しても充分に空気を通過させることができる。これにより、熱交換量をよりいっそう向上させることができる。
【００６６】
（２）
また、第３実施形態における空気調和装置の室外機３０６では、熱交換器７の上縁部７３および下縁部７４を通過する空気について、空気流れの乱れを抑えて円滑に通過させることができる。これにより、熱交換器７における熱交換量を充分に確保できるだけでなく、送風音を低減させることができる。
【００６７】
＜第３実施形態の変形例＞
以上、本発明の一実施形態について説明したが、本発明は上記実施形態に限定されるものではなく、発明の要旨を逸脱しない範囲で種々の変更が可能である。
（Ａ）
第３実施形態における空気調和装置の室外機３０６では、熱交換器７の上縁部７３の背面側に複数の天横開口部１２を、下縁部７４の背面側に複数の底横開口部６９を設ける場合について例に挙げて説明した。
【００６８】
しかし、本発明はこれに限られるものではなく、天横開口部１２や底横開口部６９は、複数の開口として構成されている必要はなく、上縁部７３に沿うようにして、上縁部７３の背面側全てが吹出方向に貫通した開口を設けるようにしてもよい。または、熱交換器７の下縁部７４に沿うようにして、下縁部７４の背面側全てが吹出方向に貫通した開口を設けるようにしてもよい。
【００６９】
（Ｂ）
第３実施形態における空気調和装置の室外機３０６では、単に、天板１や底板１６の天板折曲げ部１１、１７において吹出方向に天横開口部１２や底横開口部６９を設ける場合を例に挙げて説明した。
しかし、本発明はこれに限られるものではなく、天上開口部１０と天横開口部１２との大きさを調整することで、上方向からの空気流れの量と横方向からの空気流れのとの関係を調節し、熱交換器７を最も効率的に機能させて熱交換量を最大限に確保することができる設計を採用してもよい。
【００７０】
また、下縁部７４についても同様に、底下開口部６０と底横開口部６９との大きさを調整することで、下方向からの空気流れの量と横方向からの空気流れのとの関係を調節し、熱交換器７を最も効率的に機能させて熱交換量を最大限に確保することができる設計を採用してもよい。
【産業上の利用可能性】
【００７１】
本発明によれば、熱交換器の天板近傍部分における交換熱量を向上させることが可能になるため、室内機との間で循環する冷媒と屋外の空気との間で熱交換を行う空気調和装置の室外機への適用が特に有用である。
【図面の簡単な説明】
【００７２】
【図１】第１実施形態の室外機の背面側斜視図。
【図２】第１実施形態の室外機の前面側斜視図。
【図３】第１実施形態の室外機の側面視断面図。
【図４】第１実施形態の室外機の天板近傍の背面側斜視図。
【図５】第１実施形態の室外機の上面図。
【図６】第１実施形態の室外機の左側面図。
【図７】第１実施形態の室外機の要部の側面視断面図。
【図８】第２実施形態の室外機の底板近傍の背面側斜視図。
【図９】第２実施形態の室外機の底面図。
【図１０】第３実施形態の室外機の背面側斜視図。
【図１１】第３実施形態の室外機の天板近傍の背面側斜視図。
【図１２】第３実施形態の室外機の底板近傍の背面側斜視図。
【図１３】第３実施形態の室外機の天板の投影図。
【図１４】第３実施形態の室外機の底板の投影図。
【図１５】第３実施形態の室外機の左側面図。
【図１６】第３実施形態の室外機の天板の要部の側面視断面図。
【図１７】従来例としての室外機の要部の側面視断面図。
【符号の説明】
【００７３】
１  天板（導風板、上面導風部）
２  背面吸込口
３  吹出口
４  ケーシング（導風板）
５  送風機
６  室外機
７  熱交換器
９  左側面吸込口
１０  天上開口部（開口部）
１１  天板折曲げ部（導風部、吸込導風部）
１２  天横開口部（上方吸込側開口部）
１３  プロペラファン
１４  吹出グリル
１５  吸込グリル
１６  底板（導風部、下面導風部）
１７  底板折曲げ部（導風部、吸込導風部）
３１  右側面板
３２  左側面グリル（側面吸込口）
６０  底下開口部（開口部）
６９  底横開口部（下方吸込側開口部）
【図１】
2007101161.tif 000003
【図２】
2007101161.tif 000004
【図３】
2007101161.tif 000005
【図４】
2007101161.tif 000006
【図５】
2007101161.tif 000007
【図６】
2007101161.tif 000008
【図７】
2007101161.tif 000009
【図８】
2007101161.tif 000010
【図９】
2007101161.tif 000011
【図１０】
2007101161.tif 000012
【図１１】
2007101161.tif 000013
【図１２】
2007101161.tif 000014
【図１３】
2007101161.tif 000015
【図１４】
2007101161.tif 000016
【図１５】
2007101161.tif 000017
【図１６】
2007101161.tif 000018
【図１７】
2007101161.tif 000019